(57)【要約】【課題】バスバの体格を大きくすることなく、バスバの端子接続部の発生する熱を外部に逃がすことで、製品温度の上昇を抑制すること。【解決手段】絶縁性材料よりなる底壁２ａを備えた箱本体２と、箱本体の底壁の上面に主板部４ｓが配置されると共に主板部から起立する端子部４ａを備えたバスバ４と、箱本体の底壁の下面に配置される放熱板８と、放熱板８上の発熱量の多い端子部に対応する位置には、放熱板の構成板材の一部を切り起こすことで形成された箱本体の底壁の下面２ａｕに押圧接触する板バネ８ａと、を備えている。【選択図】図１
2019004022.tif 000002
【特許請求の範囲】
【請求項１】
絶縁性材料よりなる底壁を備えた箱本体と、
前記箱本体の底壁の上面に主板部が配置されると共に前記主板部から起立する端子部を備えたバスバと、
前記箱本体の底壁の下面に配置される前記底壁よりも高熱伝導性材料よりなる放熱板と、
前記放熱板上の発熱量の多い前記端子部に対応する位置に、前記放熱板の構成板材の一部を切り起こすことで形成された前記箱本体の底壁の下面に押圧接触する板バネと、
を備えたことを特徴とする電気接続箱。
【請求項２】
請求項１に記載の電気接続箱であって、
前記放熱板に、前記電気接続箱の固定用金属部品に接触する外部への熱逃がし部が設けられている、
ことを特徴とする電気接続箱。
【請求項３】
請求項１または２に記載の電気接続箱であって、
前記発熱量の多い端子部は、電気接続箱に搭載される電気部品の端子の接続されるバスバの端子部である、
ことを特徴とする電気接続箱。
【請求項４】
請求項１に記載の電気接続箱の据付構造であって、
前記箱本体の底壁の下面に前記放熱板が配置され、前記放熱板の板バネが前記底壁の下面に押圧接触させられた状態で、前記電気接続箱が固定用金属部品によって据付相手部材に固定されており、前記固定用金属部品に対して前記放熱板が接触している、
ことを特徴とする電気接続箱の据付構造。
【発明の詳細な説明】
【技術分野】
【０００１】
本発明は、主に車両に搭載される電気接続箱及びその据付構造に関するものである。
【背景技術】
【０００２】
自動車等の車両には、コネクタを接続するための各種電気回路を搭載したり、絶縁を確保しながら電気回路に搭載電気部品を接続したりするための電気接続箱が設置されている。この種の電気接続箱は、絶縁樹脂製の箱本体の内部にバスバが配置されることで、内部の電気回路が構成されていることが多い。そして、この種の電気接続箱は、バスバに起立形成された接続端子部に、外部からコネクタの端子を接続したり、搭載電気部品の端子を接続したりするようになっている。
【０００３】
ところで、電気接続箱のなかには、通電時に、搭載電気部品の端子とバスバの端子の接続部（以下、この端子同士の接続部分を「端子接続部」という）が大きく発熱するものがある。従来、そのような発熱する端子接続部を持つ電気接続箱は、発生した熱を、バスバを介してコネクタ接続された電線に逃がしているのが一般的であった。
【０００４】
しかし、電気自動車等の大電流を扱う車両では、放熱が充分に行われないと、発熱部位の温度が過度に上昇してしまうという課題がある。そこで、その対策として、バスバの寸法を大きくしたり、バスバ自体に放熱性を高めた部分を設けたりして、バスバの熱容量を増大させることが行われている。この対策例は、電気接続箱についてではないものの、例えば、特許文献１や特許文献２に開示がある。
【先行技術文献】
【特許文献】
【０００５】
【特許文献１】特開２０１０−２１２１５５号公報
【特許文献２】特開２０１４−２２９３８４号公報
【発明の概要】
【発明が解決しようとする課題】
【０００６】
しかし、バスバの寸法を大きくしたりバスバ自体に放熱性を高めた部分を設けたりしてバスバの熱容量を大きくする方法は、バスバの体格が大きくなるという課題がある。
【０００７】
本発明は、上述した事情に鑑みてなされたものであり、その目的は、バスバの体格を大きくすることなく、バスバの端子接続部の発生する熱を外部に逃がすことができて、製品温度の上昇を抑制することのできる電気接続箱およびその据付構造を提供することにある。
【課題を解決するための手段】
【０００８】
前述した目的を達成するために、本発明は、下記（１）〜（４）を特徴としている。
（１）  絶縁性材料よりなる底壁を備えた箱本体と、
前記箱本体の底壁の上面に主板部が配置されると共に前記主板部から起立する端子部を備えたバスバと、
前記箱本体の底壁の下面に配置される前記底壁よりも高熱伝導性材料よりなる放熱板と、
前記放熱板上の発熱量の多い前記端子部に対応する位置に、前記放熱板の構成板材の一部を切り起こすことで形成された前記箱本体の底壁の下面に押圧接触する板バネと、
を備えることを特徴とする電気接続箱。
（２）  上記（１）の構成の電気接続箱であって、
前記放熱板に、前記電気接続箱の固定用金属部品に接触する外部への熱逃がし部が設けられている、
こと。
（３）  上記（１）または（２）の構成の電気接続箱であって、
前記発熱量の多い端子部は、電気接続箱に搭載される電気部品の端子の接続されるバスバの端子部である、
こと。
（４）  上記（１）の構成の電気接続箱の据付構造であって、
前記箱本体の底壁の下面に前記放熱板が配置され、前記放熱板の板バネが前記底壁の下面に押圧接触させられた状態で、前記電気接続箱が固定用金属部品によって据付相手部材に固定されており、前記固定用金属部品に対して前記放熱板が接触している、
こと。
【０００９】
上記（１）の構成によれば、通電時に端子接続部（バスバの端子部と相手側端子との接続部）で発生した熱は、端子接続部からバスバの主板部に向けて移動する。主板部に移動した熱は、主板部から箱本体の底壁を介して、底壁の下面の放熱板に伝わる。この際、箱本体の底壁の下面には、放熱板の板バネが押圧接触しているため、効率良く箱本体の底壁を介してバスバの主板部の熱が放熱板に伝わる。また、板バネが、放熱板の構成板材を切り起こすことで形成されているため、板バネから放熱板の本体部への伝熱がスムーズに行われる。放熱板に伝わった熱は、放熱板に接触する固定用金属部品などを介して外部へと逃げる。従って、バスバ自体の熱容量を増大させる対策を講じなくても、つまり、バスバの体格を大きくしないでも、発熱部である端子接続部の温度上昇を抑制することができる。そのため、電気接続箱の製品温度を下げることができる。
その結果、バスバの端子部と相手側端子との接続部を介しての大電流の通電が可能になる。また、端子接続部の放熱性が良くなることで、バスバ自体のサイズの縮小が可能になる。そのため、バスバ間の絶縁距離の確保が容易になると共に、電気接続箱のサイズの縮小が可能になる。また、発熱部の温度上昇を抑制できることや、バスバのサイズの縮小に伴って絶縁距離の確保が容易になることにより、製品の安全性の向上が図れる。また、バスバのサイズの縮小や電気接続箱のサイズの縮小が可能になることにより、コストダウンが可能になると共に、車両への搭載スペースの確保が容易になる。
また、バスバと放熱板との間には絶縁性材料よりなる箱本体の底壁が介在するため、バスバの絶縁性は確実に確保される。また、放熱板の板バネが箱本体の底壁の下面を支えることになるため、電気接続箱の据付状態での剛性を高めることが可能となり、耐振動性が向上する。また、板バネは、放熱板の構成板材を切り起こすことで形成されているので、加工が容易でコストもかからない。
上記（２）の構成によれば、放熱板に設けられた外部への熱逃がし部が、電気接続箱の固定用金属部品に接触していることにより、放熱板に伝わった熱を、固定用金属部品を通して据付相手部材側に有効に逃すことができる。ここで、固定用金属部品としては、電気接続箱の固定に用いられる金属カラーや固定ボルトなどが挙げられる。
上記（３）の構成によれば、搭載した電気部品の端子とバスバの端子部との接続部で発生する熱を、効率よく放熱板を通して外部へ逃がすことができる。そのため、搭載した電気部品の端子とバスバの端子部との接続部の温度上昇を抑制することができ、電気接続箱としての製品温度を下げることができる。
上記（４）の構成によれば、通電時に端子接続部で発生した熱は、バスバの主板部から箱本体の底壁を介して、底壁の下面の放熱板に伝わる。この際、箱本体の底壁の下面には、放熱板の板バネが押圧接触しているため、効率良く箱本体の底壁を介してバスバの主板部の熱が放熱板に伝わる。放熱板に伝わった熱は、電気接続箱を固定する固定用金属部品（金属カラーや固定ボルト等）を介して据付相手部材へと逃げる。従って、バスバ自体の熱容量を増大させる対策を講じなくても、つまり、バスバの体格を大きくしないでも、発熱部である端子接続部の温度上昇を抑制することができ、電気接続箱の温度を下げることができる。なお、バスバと放熱板との間には絶縁性材料よりなる箱本体の底壁が介在するため、バスバの絶縁性は確保される。また、放熱板の板バネが箱本体の底壁の下面を支えることになるため、電気接続箱の据付状態での剛性を高めることが可能となり、耐振動性が向上する。
【発明の効果】
【００１０】
本発明によれば、バスバの体格を大きくすることなく、バスバの端子接続部の発生する熱を外部に逃がすことができて、製品温度の上昇を抑制することができる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本実施形態に係る電気接続箱の分解斜視図である。
【図２】図２は、電気接続箱の電気部品搭載状態を示す外観側面図である。
【図３】図３は、電気接続箱の電気部品搭載状態を示す側断面図である。
【図４】図４は、図３のＡ部の拡大詳細図である。
【図５】図５は、図３のＢ−Ｂ矢視断面図である。
【発明を実施するための形態】
【００１３】
本発明に関する具体的な実施形態について、各図を参照しながら以下に説明する。
図１は、本実施形態に係る電気接続箱の分解斜視図、図２は、電気接続箱の電気部品搭載状態を示す外観側面図、図３は、側断面図、図４は、図３のＡ部の拡大詳細図、図５は、図３のＢ−Ｂ矢視断面図である。
【００１４】
図１に示すように、本実施形態の電気接続箱１は、箱本体２と、上部カバー３と、複数のバスバ４と、複数のメス型中継端子５（５ａ、５ｂ）と、２つの金属カラー６と、１枚の放熱板８と、を含んで構成されている。電気接続箱１の上部には、図２及び図３に示すように、電気接続箱１の内部の電気回路に接続される搭載電気部品１０が嵌合される。搭載電気部品１０は、下向きに突出する複数本のオスタブ端子１０ａを備えている。
【００１５】
箱本体２と上部カバー３は、樹脂成形品で構成されており、絶縁性を備えている。箱本体２は、平面視矩形の底壁２ａと、この底壁２ａの側縁から起立する周側壁２ｂと、を備えている。箱本体２の四隅のうち対向する二隅には、上部カバー３の固定部３ｃの嵌まる切欠部２ｃが設けられている。箱本体２の底壁２ａの上面２ａｔには、バスバ４の配索位置を規定するリブ２ｄや囲い壁２ｅが設けられている。箱本体２の周側壁２ｂの適宜箇所には、上部カバー３との係合のための被係合部２ｆが設けられている。
【００１６】
上部カバー３は、箱本体２の形状に対応した平面視矩形の上面壁３ａと、この上面壁３ａの側縁から下方に延出する周側壁３ｂと、を備えている。上部カバー３は、箱本体２の上面を覆うもので、箱本体２の上面を覆った際に、上部カバー３の周側壁３ｂは、箱本体２の周側壁２ｂの外側に被さる。上部カバー３の周側壁３ｂには、箱本体２の周側壁２ｂの外側に被さった際に、箱本体２側の被係合部２ｆと係合して、上部カバー３が閉じ位置にロックする係合部３ｆが設けられている。
【００１７】
上部カバー３の四隅のうち対向する二隅には、箱本体２側の切欠部２ｃに嵌まる固定部３ｃが設けられている。これらの固定部３ｃは、電気接続箱１を据付対象相手部材に、ボルトやナット等の金属製締結部材を用いて固定するための部分である。固定部３ｃの内底部には、強度を確保するために円環状の金属カラー６が配置されている。金属カラー６は、圧入あるいはインサート成形などの方法により、固定部３ｃの内底部に装着されている。金属カラー６は、電気接続箱１を据付対象相手部材に固定する際に、ボルトやナット等の金属製締結部材と接触導通するように取り付けられている。上部カバー３の上面壁３ａには、適宜箇所に、メス型コネクタを構成するコネクタ嵌合部３ｇが設けられている。また、上部カバー３の上面壁３ａの中央領域には、搭載電気部品１０を嵌合するための搭載部品嵌合部３ｅが設けられている。
【００１８】
各バスバ４は、箱本体２の底壁２ａの上面２ａｔに密着して配置される主板部４ｓと、主板部４ｓから起立する端子部４ａ、４ｂと、を備えている。主板部４ｓは、一定幅の帯板で構成されており、配索すべき経路に沿って平面視形状が決められている。端子部４ａ、４ｂは、主板部４ｓの主に経路方向の両端に起立する起立片として折り曲げ形成されている。端子部４ａ、４ｂのサイズ（幅や高さ）は、接続相手に応じて決められている。バスバ４は、主板部４ｓの下面を箱本体２の底壁２ａの上面２ａｔに密着させた状態で、箱本体２の内部に配置されている（図４参照）。
【００１９】
ここで、複数の端子部４ａ、４ｂのなかのあるものは、上部カバー３のコネクタ嵌合部３ｇに挿入されることで、そのままコネクタのオス端子となる。また、複数の端子部４ａ、４ｂのなかのあるものは、先端側からメス型中継端子５ａ、５ｂが嵌合されることにより、搭載電気部品１０のオスタブ端子１０ａと嵌合するメス端子を構成する。
【００２０】
放熱板８は、熱伝導率の高い金属、例えば、アルミニウム（合金を含む）、胴、鉄などの一枚の単材料の板材で構成されている。よって、放熱板８は、箱本体２の底壁２ａの構成材料（樹脂）よりも高熱伝導性を有している。なお、放熱板８は、単材料の金属板に限らず、放熱性を高めた積層板やラミネート板であってもよいし、金属板以外の放熱性の優れた板材を用いてもよい。放熱板８は、上部カバー３の固定部３ｃのある対向二隅方向に寸法が大きく、固定部３ｃのない対向二隅方向に寸法が小さい、幅広帯板状に形成されている。
【００２１】
ところで、搭載電気部品１０を上部カバー３の搭載部品嵌合部３ｅに嵌合した際に、搭載電気部品１０のオスタブ端子１０ａは、メス型中継端子５（５ａ、５ｂ）およびバスバ４の端子部４ａ、４ｂと電気的に接続される。ここでは、それらのメス型中継端子５ａ、５ｂ及びバスバ４の端子部４ａ、４ｂのうち、通電時に大きく発熱する箇所のメス型中継端子５ａ及びバスバの端子部４ａに注目する。それ以外のメス型中継端子５ｂ及びバスバ４の端子部４ｂについては、特に大きく発熱しないので、ここでは注目しない。
【００２２】
放熱板８には、発熱量の大きな端子接続部（バスバの端子部４ａ、メス型中継端子５ａ、搭載電気部品のオスタブ端子１０ａの相互接続部）に注目して、それらの直下に対応する部分に板バネ８ａが設けられている。板バネ８ａは、図４に示すように、箱本体２の底壁２ａの下面２ａｕに押圧接触するように設けられている。各板バネ８ａは、放熱板８の構成板材の一部を切り起こすことで形成されている。具体的には、各板バネ８ａは、放熱板８の構成板材にＵ字状の切り込みを入れ、そのＵ字状の切り込みの内側片を上方に引き起こして、上面を平板状に成形した弾性舌片として形成されている。
【００２３】
また、放熱板８は、上部カバー３の２つの固定部３ｃをカバーするサイズに形成されている。固定部３ｃに対応する両端箇所には、電気接続箱１の固定用金属部品である固定ボルトを挿通するボルト挿通孔８ｂが設けられている。そのボルト挿通孔８ｂの周囲が、金属カラー６と接触することにより外部へ熱を逃がす外部への熱逃がし部８ｃとなっている。
【００２４】
この電気接続箱１を据え付ける際には、箱本体２の底壁２ａの下面２ａｕに放熱板８を配置し、放熱板８の板バネ８ａを底壁２ａの下面２ａｕに押圧接触させる。その状態で、電気接続箱１を、固定用金属部品（ボルト・ナット等）により据付相手部材（図示せず）に固定する。この際、固定用金属部品に対して放熱板８が接触した状態を保っておく。そして、図２及び図３に示すように、搭載電気部品１０を電気接続箱１に嵌合して使用する。
【００２５】
以上のように据え付けて使用することにより、端子接続部で発生した熱が、図４及び図５中の矢印Ｍで示すように移動する。なお、図５では、発熱量の多い端子接続部を四角枠Ｈで示している。搭載電気部品１０に対しての通電時に、図５中の端子接続部Ｈ（バスバの端子部４ａとメス型中継端子５ａ、搭載電気部品のオスタブ端子１０ａの相互接続部）で多量の熱が発生する。
【００２６】
発生した熱は、図４中の矢印Ｍで示すように、端子接続部からバスバ４の主板部４ｓに向けて移動する。主板部４ｓに移動した熱は、主板部４ｓから箱本体２の底壁２ａを介して、底壁２ａの下面の放熱板８に伝わる。この際、箱本体２の底壁２ａの下面２ａｕには、放熱板８の板バネ８ａが押圧接触しているため、効率良く箱本体２の底壁２ａを介してバスバ４の主板部４ｓの熱が放熱板８に伝わる。また、板バネ８ａが、放熱板８の構成板材を切り起こすことで形成されているため、板バネ８ａから放熱板８の本体部への伝熱がスムーズに行われる。放熱板８に伝わった熱は、図５に示すように、外部への熱の逃がし部８ｃ（固定部３ｃのある箇所）に移動し、固定用金属部品（金属カラー６や固定ボルト）などを介して外部へと逃げる。
【００２７】
従って、バスバ４自体の熱容量を増大させる対策を講じなくても、つまり、バスバ４の体格を大きくしないでも、発熱部である端子接続部（図５中の四角枠Ｈの箇所）の温度上昇を抑制することができる。そのため、電気接続箱１の製品温度を下げることができる。
【００２８】
その結果として、バスバ４の端子部４ａと搭載電気部品１０のオスタブ端子１０ａとの接続部を介しての大電流の通電が可能になる。また、端子接続部の放熱性が良くなることで、バスバ４自体のサイズの縮小が可能になる。そのため、バスバ４間の絶縁距離の確保が容易になると共に、電気接続箱１のサイズの縮小が可能になる。また、発熱部の温度上昇を抑制できることや、バスバ４のサイズの縮小に伴って絶縁距離の確保が容易になることにより、製品の安全性の向上が図れる。また、バスバ４のサイズの縮小や電気接続箱１のサイズの縮小が可能になることにより、コストダウンが可能になると共に、車両への搭載スペースの確保が容易になる。
【００２９】
また、バスバ４と放熱板８との間には絶縁性材料よりなる箱本体２の底壁２ａが介在するため、バスバ４の絶縁性は確実に確保される。また、放熱板８の板バネ８ａが箱本体２の底壁２ａの下面２ａｕを支えることになるため、電気接続箱１の据付状態での剛性を高めることが可能となり、耐振動性が向上する。また、板バネ８ａは、放熱板８の構成板材を切り起こすことで形成されているので、加工が容易でコストもかからない。
【００３０】
ここで、上述した本発明に係る電気接続箱及び電気接続箱の据付構造の実施形態の特徴をそれぞれ以下［１］〜［４］に簡潔に纏めて列記する。
［１］
絶縁性材料よりなる底壁（２ａ）を備えた箱本体（２）と、
前記箱本体（２）の底壁（２ａ）の上面（２ａｔ）に主板部（４ｓ）が配置されると共に前記主板部（４ｓ）から起立する端子部（４ａ、４ｂ）を備えたバスバ（４）と、
前記箱本体（２）の底壁（２ａ）の下面（２ａｕ）に配置される前記底壁（２ａ）よりも高熱伝導性材料よりなる放熱板（８）と、
前記放熱板（８）上の発熱量の多い前記端子部（４ａ）に対応する位置に、前記放熱板（８）の構成板材の一部を切り起こすことで形成された前記箱本体（２）の底壁（２ａ）の下面（２ａｕ）に押圧接触する板バネ（８ａ）と、
を備えたことを特徴とする電気接続箱（１）。
［２］
上記［１］に記載の電気接続箱であって、
前記放熱板（８）に、前記電気接続箱（１）の固定用金属部品（金属カラー６）に接触する外部への熱逃がし部（８ｃ）が設けられている。
ことを特徴とする電気接続箱（１）。
［３］
上記［１］または［２］に記載の電気接続箱であって、
前記発熱量の多い端子部（４ａ）は、電気接続箱（１）に搭載される電気部品（搭載電気部品１０）の端子（オスタブ端子１０ａ）の接続されるバスバの端子部（４ａ）である。
ことを特徴とする電気接続箱（１）。
［４］
上記［１］に記載の電気接続箱の据付構造であって、
前記箱本体（２）の底壁（２ａ）の下面（２ａｕ）に前記放熱板（８）が配置され、前記放熱板（８）の板バネ（８ａ）が前記底壁（２ａ）の下面（２ａｕ）に押圧接触させられた状態で、前記電気接続箱（１）が固定用金属部品（金属カラー６）により据付相手部材に固定されており、前記固定用金属部品（金属カラー６）に対して前記放熱板（８）が接触している、
ことを特徴とする電気接続箱の据付構造。
【符号の説明】
【００３１】
１  電気接続箱
２  箱本体
２ａ  底壁
２ａｔ  上面
２ａｕ  下面
４  バスバ
４ｓ  主板部
４ａ  端子部
５，５ａ  メス型中継端子
６  金属カラー（固定用金属部品）
８  放熱板
８ａ  板バネ
８ｃ  外部への熱の逃がし部
１０  搭載電気部品
１０ａ  オスタブ端子
【図１】
2019004022.tif 000003
【図２】
2019004022.tif 000004
【図３】
2019004022.tif 000005
【図４】
2019004022.tif 000006
【図５】
2019004022.tif 000007